(57)【特許請求の範囲】
【請求項１】
折りたたんだ傘地（２）を被覆可能な水滴防止カバー（１）が取り付けられた傘において、
前記傘の先端部の軸（３）に固着された軸取付け具（１３）と、この軸取付け具（１３）から上方へ伸縮して傘地（２）を被覆自在で且つ径の異なる複数の筒体（３１）を順次嵌合した筒状カバー（１２）を有しており、
この筒状カバー（１２）における複数の筒体（３１）それぞれは、小径側の端部内周に小径内突縁（３３）を、大径側の端部外周に大径外突縁（３４）を、大径側の端部内周に大径内突縁（３５）を環状に突設していて、これらの突縁（３３、３４、３５）が相互に係止可能に順次連結され、前記筒状カバー（１２）における最も径の大きい筒体（３１）の外周面には傘軸方向に延びる線状の突部が形成されており、
前記軸取付け具（１３）は、前記筒状カバー（１２）における最も径が小さい筒体（３１）に嵌合し且つ前記筒状カバー（１２）の内部と連通した空洞（１６）が内部に形成された支持筒（４１）と、この支持筒（４１）の上端部側内に形成され且つ傘の軸（３）が内部に入って固着される取付筒（４２）と、この取付筒（４２）の外周面から支持筒（４１）の内周面に向かって４方向に延びるフランジ（４３）と、前記支持筒（４１）内の空洞（１６）に充填された吸水性の部材（３２）と、前記支持筒（４１）の下端部に螺合されて着脱自在なキャップ（１４）を備え、
前記支持筒（４１）は、前記取付筒（４２）とフランジ（４３）と一体的に形成され、前記支持筒（４１）の上端部外周に、前記最も径が小さい筒体（３１）の小径内突縁（３３）に係止可能な外突縁（４１ａ）が環状に突設され、前記支持筒（４１）の下端部外周に、前記キャップ（１４）と螺合する雄ネジ（４１ｂ）が形成され、
前記取付筒（４２）は、上端が支持筒（４１）の上端と略同じ高さ位置であり、前記取付筒（４２）の傘軸方向長さが支持筒（４１）の傘軸方向長さより短く、前記取付筒（４２）の下方に、前記支持筒（４１）内を仕切ることのない前記空洞（１６）が位置し、
前記吸収性の部材（３２）は、前記空洞（１６）に、前記支持筒（４１）の内表面（４１ｃ）から所定距離だけ離れた位置にも存在した状態で充填され、前記吸収性の部材（３２）の傘軸方向長さが前記空洞（１６）の傘軸方向長さより長く、前記キャップ（１４）の取外し時に前記支持筒（４１）の下端から吸水性の部材（３２）が露出し、
前記キャップ（１４）は、前記支持筒（４１）より大径で且つ前記支持筒（４１）の雄ネジ部（４１ｂ）への螺合時に前記最も径が小さい筒体（３１）の小径内突縁（３３）と係止可能な径で構成され、
前記取付筒（４２）には、前記傘地（２）を軸（３）に押え付ける押え環（４）が外嵌されていることを特徴とする傘。
【請求項２】
前記吸水性の部材（３２）は、単繊維繊度が３ｄｔｅｘ以下で且つポリエステルである繊維を有した組み紐であることを特徴とする請求項１に記載の傘。
【発明の詳細な説明】
【技術分野】
【０００１】
本発明はぬれた傘の水滴を防止するカバーを取り付けた傘に関する。
【背景技術】
【０００２】
従来から傘にカバーを装着することで水滴を防止する傘はよく知られており、各種の水滴防止カバーが提案されている。（例えば特許文献１、２参照）
以下従来の傘の水滴防止カバーについて図５を用いて説明する。
【０００３】
図５の従来の傘の水滴防止カバーは、傘２１の先端の土突き部２２に水受け部２３を有し、その水受け部の上側に、伸縮自在の筒状体２４が設けられ、その伸縮自在の筒状体が、径の異なる複数の筒体を順次嵌合して、伸縮自在に構成された筒状体である。
【０００４】
傘２１を使用する際には伸縮自在の筒状体２４を折りたたんで傘の先端部分に収束してから傘を開き、傘を使用した後傘２１をたたんでから伸縮自在の筒状体２４を伸ばして傘の水滴がつかないようカバーとするものである。
【先行技術文献】
【特許文献】
【０００５】
【特許文献１】特開２００２−２１９０１３号公報
【特許文献２】特開平１１−３２８２１号公報
【発明の概要】
【発明が解決しようとする課題】
【０００６】
しかしながら、従来の水滴防止カバー付き傘では傘の先端の土突き部から水滴を落とすか落とさない様にするか自在に選択できず、また傘を使用する際に傘を逆さにすれば水滴防止カバーの中に入っていた水がこぼれてきて手をぬらしてしまうという課題を有していた。
また、傘を使用する際に傘を逆さにすれば水滴防止カバーの中に入っていた水がこぼれてきて手をぬらしてしまうという課題のみを有することとしても良い。
【課題を解決するための手段】
【０００７】
上記記載の課題を解決するために本発明は、折りたたんだ傘地２を被覆可能な水滴防止カバー１が取り付けられた傘において、前記傘の先端部の軸３に固着された軸取付け具１３と、この軸取付け具１３から上方へ伸縮して傘地２を被覆自在で且つ径の異なる複数の筒体３１を順次嵌合した筒状カバー１２を有しており、この筒状カバー１２における複数の筒体３１それぞれは、小径側の端部内周に小径内突縁３３を、大径側の端部外周に大径外突縁３４を、大径側の端部内周に大径内突縁３５を環状に突設していて、これらの突縁３３、３４、３５が相互に係止可能に順次連結され、前記筒状カバー１２における最も径の大きい筒体３１の外周面には傘軸方向に延びる線状の突部が形成されており、前記軸取付け具１３は、前記筒状カバー１２における最も径が小さい筒体３１に嵌合し且つ前記筒状カバー１２の内部と連通した空洞１６が内部に形成された支持筒４１と、この支持筒４１の上端部側内に形成され且つ傘の軸３が内部に入って固着される取付筒４２と、この取付筒４２の外周面から支持筒４１の内周面に向かって４方向に延びるフランジ４３と、前記支持筒４１内の空洞１６に充填された吸水性の部材３２と、前記支持筒４１の下端部に螺合されて着脱自在なキャップ１４を備え、前記支持筒４１は、前記取付筒４２とフランジ４３と一体的に形成され、前記支持筒４１の上端部外周に、前記最も径が小さい筒体３１の小径内突縁３３に係止可能な外突縁４１ａが環状に突設され、前記支持筒４１の下端部外周に、前記キャップ１４と螺合する雄ネジ４１ｂが形成され、前記取付筒４２は、上端が支持筒４１の上端と略同じ高さ位置であり、前記取付筒４２の傘軸方向長さが支持筒４１の傘軸方向長さより短く、前記取付筒４２の下方に、前記支持筒４１内を仕切ることのない前記空洞１６が位置し、前記吸収性の部材３２は、前記空洞１６に、前記支持筒４１の内表面４１ｃから所定距離だけ離れた位置にも存在した状態で充填され、前記吸収性の部材３２の傘軸方向長さが前記空洞１６の傘軸方向長さより長く、前記キャップ１４の取外し時に前記支持筒４１の下端から吸水性の部材３２が露出し、前記キャップ１４は、前記支持筒４１より大径で且つ前記支持筒４１の雄ネジ部４１ｂへの螺合時に前記最も径が小さい筒体３１の小径内突縁３３と係止可能な径で構成され、前記取付筒４２には、前記傘地２を軸３に押え付ける押え環４が外嵌されていることを特徴とする。
【０００８】
本発明に係る傘１１の特徴は、上記特徴に加えて、前記吸水性の部材３２は、単繊維繊度が３ｄｔｅｘ以下で且つポリエステルである繊維を有した組み紐である点にある。
【０００９】
尚、他の傘の水滴防止カバー１は、傘を折りたたんだ際に径の異なる複数の筒体を順次嵌合して筒状体とし伸縮自在に構成された筒状カバーを前記傘にかぶせることによって水滴が落ちるあるいは他の物についてしまうことを防止する水滴防止カバーにおいて、前記傘の先端部の軸に４方向の圧入用突出部によって前記傘の先端部の軸に圧入して取り付けることができるよう構成し、その４方向の前記圧入用突出部に沿って水滴が落ちるよう空洞を構成し、かつその空洞に例えばスポンジのような吸水性の部材を挿入した軸取付け具と、前記軸取付け具の先端にねじで取り付けるように構成したキャップと、前記径の異なる複数の筒体を順次嵌合して筒状体とし伸縮自在に構成された筒状カバーの伸ばしたときに最も取手に近くなる最外径部の筒体は外周部を光を反射する反射用部材で構成されている筒体とを備えた場合もある。
【００１０】
これらの特徴により、本発明に係る傘１１は、軸取付け具１３の内部に設けられた空洞１６を筒状カバー（筒状体）１２の内部と連通させ、キャップ１４の取外し時に出し入れ自在な吸水性の部材３２で空洞１６を充填させていることで、ぬれた傘１１を使用する際に広げようとして逆さにしたときにも水が落ちてきて手をぬらしてしまうこともない。
【００１１】
尚、傘１１は、上述した他の傘の水滴防止カバー１を取り付けている場合もある。
【発明の効果】
【００１２】
以上のように、本発明によれば、水滴がついた傘に伸縮自在に構成された筒状カバーをかぶせることによって水滴が傘から落ちることもなく、かつ傘の水滴が洋服等の他の物についてぬらしてしまうということもなく、同時に傘の大部分を水滴防止カバーで覆うことができるため傘の強度を増す補強の効果を得ることができる。
【００１３】
また、軸取付け具の空洞に吸水性の部材を充填しているため、ぬれた傘を使用する際に広げようとして逆さにしたときにも水が落ちてきて手をぬらしてしまうこともなく、また、伸縮自在に構成された筒状カバーを折りたたんで、傘を広げて使用する際には筒状カバーの最外径部が光を反射する反射用部材である場合には、傘を視認しやすく安全に歩行できるという効果が得られるものである。
【００１４】
尚、一般に使用されている傘においても軸取付け具を傘の軸先端部に圧入した場合は、伸縮自在に構成された筒状カバーをかぶせて使用することができるため、水滴防止カバーのついた傘として使用することができるという効果が得られるものである。
又、本発明は、ぬれた傘を使用する際に広げようとして逆さにしたときにも水が落ちてきて手をぬらしてしまうことがない効果のみを有していても良い。
【図面の簡単な説明】
【００１５】
【図１】水滴防止カバーの全体構成を表す模式図である。
【図２】水滴防止カバーをたたんだ状態を表す模式図である。
【図３】水滴防止カバーの軸取付け具とキャップの断面を表す模式図である。
【図４】水滴防止カバーの軸取付け具を上部から見た模式図である。
【図５】従来の水滴防止カバーの全体構成を表す模式図である。
【図６】水滴防止カバーが取り付けられた傘を開いた状態を示す模式図である。
【図７】水滴防止カバーを伸長させて、折りたたんだ傘を被覆した状態を示す模式図である。
【図８】水滴防止カバーの筒状カバーの側断面図であって、（ａ）は伸長状態を、（ｂ）は縮短状態を示す。
【図９】水滴防止カバーの支持筒の一部断面を表す分解斜視図である。
【図１０】図９におけるＡ−Ａ線の断面図である。
【図１１】水滴防止カバーの吸水性の部材を、巻回して空洞に充填する状態を示す模式図である。
【図１２】水滴防止カバーの吸水性の部材を、折りたたんで空洞に充填する状態を示す模式図である。
【発明を実施するための形態】
【００１６】
以下、図面を参照して本発明の実施の形態に係る水滴防止カバーが取り付けられた傘について説明する。尚、各図において、同一部分には同一符号を付している。
【００１７】
図１は水滴防止カバー全体構成の概略であって伸縮自在に構成され水滴防止カバーを傘を覆うように取り付けた状態を表す模式図、図２は水滴防止カバーの伸縮自在に構成され水滴防止カバーをたたんで傘の先端部にまとめている状態を表す模式図、図３は水滴防止カバーの軸取付け具とその軸受け部（軸取付け具）下部にねじによって取り付けるように構成したキャップのそれぞれの断面を表す模式図、図４は水滴防止カバーの軸取付け具を上部から見た模式図である。
【００１８】
水滴防止カバー１において、伸縮自在の筒状体１２は傘１１を折りたたんだときに筒状体１２を図２の筒状体１２が縮んでいる状態から筒状体１２を伸ばすことによって図１に示す傘１１を筒状体１２で覆った状態になるよう構成され、この伸縮自在の筒状体１２の筒状体１２を伸ばした状態にしたときに最も傘１１の取手に近い部分となる最外径部の筒体は外周部を光を反射する反射用部材によって構成されている。これによって傘１１が雨に濡れても水滴は筒状体１２で覆われるため水滴が他の物につくことを防止できるものである。
【００１９】
傘１１の軸先端部には図２に示す軸取付け具１３が装着されており、軸取付け具１３は図２及び図３に示す圧入用突出部１５によって傘１１の軸先端部に固定されており、軸取付け具１３の先端部にはキャップ１４がねじ１７によって取り付けられている。筒状体１２の先端部はキャップ１４がストッパーとなるため傘１１から抜け落ちることはない。
【００２０】
以上のように構成された水滴防止カバーにおいて、傘１１を折りたたんだ際、傘１１に水がついており、その水が軸取付け具１３に多くたまってきた場合には、キャップ１４をそのねじによって軸取付け具１３から外せばたまっていた水は外に出すことができるものである。水が外に出ないようにするにはキャップ１４を軸取付け具１３にしめつければよい。なお軸取付け具１３の空洞１６は傘１１についている水をよりスムーズにキャップ１４のついている軸先端部に導くことができるものである。
【００２１】
また、軸取付け具１３に水がたまってきた場合で傘１１を使用するため広げる際、水は軸取付け具１３の圧入用突出部１５に隣接した空洞１６あるいは空洞１６の中に挿入したスポンジ等の吸水性の部材に溜まっているため、キャップ１４を閉めている状態では空気の入ってくる隙間がないため傘１１を使用するために逆さにしても水は軸取付け具１３から容易に落ちてこない、そのため傘１１を使用する際にも手をぬらすことがない。
【００２２】
次に、傘１１を広げて使用する際には、前述した光を反射する反射用部材で筒状体１２の最外径部筒体の外周部が構成されているため、雨の日の夜間でも光を反射することによって傘の存在を知らしめるため安全に歩行できるものである。
【００２３】
以下に、本発明を図６〜１２に基づいても詳細に説明する。
本発明に係る傘１１の水滴防止カバー１は、図６〜１０のように筒状カバー（筒状体）１２と軸取付け具１３とで構成され、筒状カバー１２は、図６のように軸取付け具１３を介して傘地２の中央から突設された傘軸の頂部（傘の先端部の軸）３に装着され、常時は傘１１の開閉動作に支障がないように筒状カバー１２を縮短（短く縮めた）状態にして保持されている。
また、図７のように傘１１を閉じた状態にして筒状カバー１２を伸長（長く伸ばした）状態にさせると、濡れた傘地２の外周を防水被覆することができる。
【００２４】
次に、筒状カバー１２の詳細を、図８で説明する。この筒状カバー１２には、次第に縮径する円筒状をした複数の短尺な筒体３１が使用される。
これら複数の各筒体３１は、例えばポリプロピレン等のように可撓性を有する比較的軟質なプラスチック材で形成され、小径側の端部内周に小径内突縁３３が、大径側の端部外周に大径外突縁３４が、大径側の端部内周に大径内突縁３５が各々環状に突設されている。
この大径内突縁３５と所定の間隔を置いた小径側には、円周方向に沿って所定間隔ごとに、大径内突縁３５より突出する高さを低くした係合突起３６が、対向状に複数突設されている。
【００２５】
上述した構成で、順次径を細くした相似形に形成された複数の各筒体３１ａ、３１ｂ、３１ｃ・・・は、同心状に嵌合され、これらの各筒体３１ａ、３１ｂ、３１ｃ・・・は、突縁が相互に係止する態様で順次連結され、伸縮自在な一体の筒状カバー１２が形成される。
尚、この筒状カバー１２を、図７のように伸長状態にすると、傘１１の柄の近くまで傘地２が被覆されるように筒体３１の長さと本数が設定されている。
【００２６】
この筒状カバー１２は、各筒体３１ａ、３１ｂ、３１ｃ・・・を、図８（ａ）のように伸長させた際に、内側の筒体３１ｃの大径外突縁３４ｃが、外側の筒体３１ｂの小径内突縁３３ｂに係止され、この外側の筒体３１ｂの大径外突起３４ｃは、更に外側の筒体３１ａの小径内突縁３３ａに係止されるので、これにより筒状カバー１２の伸長時における各筒体３１ａ、３１ｂ、３１ｃ・・・の脱落が防止される。
また、筒状カバー１２の各筒体３１ａ、３１ｂ、３１ｃ・・・を縮短させると、図８（ｂ）のように、内側の筒体３１ｃの大径外突縁３４ｃが、外側の筒体３１ｂの係合突起３６ｂに一旦係止され、この外側の筒体３１ｂの大径外突縁３４ｂは、更に外側の筒体３１ａの係合突起３６ａに一旦係止される。
【００２７】
この状態で更に縮短方向へ押圧すると、大径外突縁３４ｃ、３４ｂが係合突起３６ｂ、３６ａを各々乗り越えて、大径外突縁３４ｃは、は係止突起３６ｂと大径内突縁３５ｂ間に嵌り込み、大径外突縁３４ｂは、は係止突起３６ａと大径内突縁３５ａ間に嵌り込む。
これにより筒状カバー１２は、縮短時における各筒体３１ａ、３１ｂ、３１ｃ・・・の縮短方向Ｙ1 への脱落が防止されると共に、縮短後における各筒体３１ａ、３１ｂ、３１ｃ・・・の伸長方向Ｙ2 へのずり落ちが防止される。
尚、最も径の大きい筒体３１の外周面には、滑り止め用で線状の突部が傘軸方向に延びるように形成されている。
【００２８】
次に、軸取付け具１３の詳細を、図９、１０で説明する。
この軸取付け具１３は、傘地２に付着して水滴として滴下された雨水を一時的に貯蔵し且つ筒状カバー１２内部と連通した空洞１６が内部に形成された支持筒４１と、この支持筒４１の一方端部内で形成され且つ傘１１の先端部でむき出しになった軸３に固着する取付筒４２と、支持筒４１内の空洞１６に充填された吸水性の部材３２と、支持筒４１の他方端部に螺合されたキャップ１４で構成されている。
【００２９】
支持筒４１は、図９で示すように、最も径が細い筒体３１の小径側（下端）に嵌合された複数の各筒体３１ａ、３１ｂ、３１ｃ・・・と同心状の略円筒状の部材であって、ポリプロピレン、ポリエチレン、ポリ塩化ビニル、ＡＢＳ（アクリロ二トリル・ブタジエン・スチレン）、アクリル、ポリアミド、ポリアセタール、ＰＢＴ（ポリブチレンテレフタレート）等の合成樹脂から構成される。
支持筒４１は、筒体３１（筒状カバー１２）側、つまり、上端側の端部外周に外突縁４１ａが環状に突設されており、この外突縁４１ａは、筒状カバー１２を伸長状態にする際に、最も径が細い筒体３１の小径内突縁３３に係止する。これにより伸長時における筒状カバー１２の支持筒４１の上端側からの脱落が防止される。
【００３０】
尚、支持筒４１下端の外周面には、キャップ１４と螺合するための雄ネジ４１ｂが形成されており、この雄ネジ４１ｂの支持筒４１の軸方向中途部には、支持筒４１を貫通する水抜き孔４４が、複数穿設されている。
よって、キャップ１４を緩めることで、この水抜き孔４４から空洞１６内部の水を抜くことができる。尚、この水抜き孔４４は、設けなくとも良い。
【００３１】
取付筒４２は、その外周面から支持筒４１の内周面に向かって４方向に延びるフランジ４３によって、支持筒４１と一体的に形成されており（図１０参照）、取付筒４２の傘１１側の端（上端）は、支持筒４１の上端と略同じ高さ位置となっている。
取付筒４２の軸方向長さは、支持筒４１の軸方向長さより短く、例えば、略半分であるため、取付筒４２の下方には、支持筒４１内を仕切ることのない空洞１６が設けられている。
【００３２】
つまり、この空洞１６は、フランジ４３の間を通じて、筒状カバー１２の内部と連通しており、連通する空洞１６内には、吸水性の部材３２が充填されている。
尚、取付筒４２には、傘１１の傘地２を先端部の軸３に押え付ける押え環４が外嵌しており、筒状カバー１２内の水が、この押え環４の外面を伝って、フランジ４３の間を通って空洞１６まで落ちるため、傘地２の下方面（内面）側に水が入ることはない。
【００３３】
また、取付筒４２の軸方向長さは、支持筒４１の略半分でなくとも、略３分の１や、略４分の１など略半分として、空洞１６をより大きく確保しても良い。逆に、取付筒４２の軸方向長さを、支持筒４１の略半分以上としても良い。
更に、取付筒４２は、傘１１の先端部の軸３に対して、必ずしも固着されていなくても良く、この傘１１の先端部の軸３に嵌合や係合する等で、取り付け自在としても良い。
【００３４】
本発明における「吸水性」とは、繊維や素材自体で水を吸い込んで保持する性質、または、繊維や素材自体では水を吸い込まないが、繊維・素材内の間隙もしくは隣接する繊維・素材間の間隙で水を保持する性質のうち、少なくとも何れか一つの性質をいう。
また、本発明における「充填」とは、支持筒４１（空洞１６）における内周壁や、内底（キャップ１４の内底）だけにフェルト等を敷くなどの支持筒４１内の空洞１６を構成する内表面４１ｃを覆う程度ではなく、少なくとも、この内表面４１ｃから所定距離だけ離れた位置にも、吸水性の部材３２が存在している状態をいう。
吸水性の部材３２は、多孔質構造のシート状部材であって、スポンジなどの発泡体であったり、または、不織布（フェルト）、織布、編布等の布帛であっても良い。
【００３５】
この不織布や織布、編布としては、ポリプロピレン、ポリエステル、ポリオレフィン、ポリビニルアルコール、ポリアミド等の繊維からなるものが使用できる。
また、これらの材料として、セルロース繊維、タンパク繊維等の天然繊維を用いたものの他に、ビスコース法レーヨン等の再生繊維、酢酸セルロース繊維等の半合成繊維や、ＰＥＴボトルを回収して再生したリサイクル品を用いたり、トウモロコシを原料として得られるポリ乳酸等を含む生分解性プラスチックを適用したりして、水土嚢を保管、撤去する際の環境にも配慮したものとすることもできる。
【００３６】
吸水性の部材３２を構成する繊維は、捲縮させても良く、このように捲縮することによって、隣接する繊維間の隙間が多くなり、保持できる水の量が増える。
また、吸水性の部材３２を構成する繊維は、単繊維繊度が１０ｄｔｅｘ以下であったり、極細繊維であっても良く、特に極細繊維であれば、隣接する繊維間により多くの隙間が生じることとなる。
【００３７】
これらの材料の中でも、単繊維繊度が３ｄｔｅｘ以下のポリエステル、アクリル等の捲縮合成繊維が、吸水性の部材３２には好ましい。
上述したものに加えて、吸水性の部材３２は、デンプン−アクリロニトリルグラフトポリマーの加水分解物、中和されたデンプン−アクリル酸グラフトポリマー、鹸化された酢酸ビニル−アクリルエステルコポリマー、アクリロニトリルコポリマー、またはアクリルアミドコポリマーの加水分解物、及びそれらの架橋生成物、及び部分的に中和された架橋アクリル酸などの吸水性樹脂の粒子状を、不織布、織布、編布等の布帛に、含有・担持させたものであっても良い。
更に、吸水性の部材３２は、細い糸で編んだ組み紐等のようにひも状であったり、不織布（フェルト）を積層したものでも良い。また、吸水性の部材３２は、使い捨て可能な素材としても良いが、支持筒４１から取り外した後に水を絞り出して、再利用可能な素材とすることが望ましい。
【００３８】
図９、１１に示すように、吸水性の部材３２は、シート状（短冊状）であって、支持筒４１の空洞１６内で巻回されている。
巻回することによって、吸水性の部材３２を略円柱状とし、支持筒４１の内周壁に沿って吸水性の部材３２を入れることが可能となるため、空洞１６内に隙間なく、より多くの吸水性の部材３２を充填させることができる。
尚、短冊状の吸水性の部材３２は、２つ折りにしたものを巻回することとしても良い。
【００３９】
また、巻回された吸水性の部材３２の体積を、支持筒４１内の空洞１６の容積よりも大きく、例えば、巻回されて略円柱状となった吸水性の部材３２における高さを、支持筒４１内の空洞１６における筒軸方向の長さより大きくしても良い。
この場合、空洞１６に吸水性の部材３２が充填されても、キャップ１４を外すと支持筒４１の先端（先端開口）から吸水性の部材３２が露出することとなり、この露出した部分を摘んで吸水性の部材３２を取り外し易くなる。
【００４０】
一方、図１２に示すように、吸水性の部材３２は、支持筒４１の空洞１６内で、少なくとも筒状カバー１２の軸と略直交する方向に沿って折りたたまれていても良い。
これによって、空洞１６内に、より多くの吸水性の部材３２を充填させることができると同時に、筒状カバー１２の軸と略直交する方向だけに沿って折りたたまれていれば、キャップ１４を取り外し後、吸水性の部材３２を出し入れする際に、支持筒４１の内周面に引っ掛かり難くなり、出し入れ時の抵抗を低減させることができる。
【００４１】
キャップ１４は、支持筒４１の先端側に螺合して空洞１６内の水を漏らさなければ良く、ポリプロピレン、ポリエチレン、ポリ塩化ビニル、ＡＢＳ（アクリロ二トリル・ブタジエン・スチレン）、アクリル、ポリアミド、ポリアセタール、ＰＢＴ（ポリブチレンテレフタレート）等の合成樹脂から構成される。
また、キャップ１４は、水滴防止カバー１を取り付けた傘１１において、土突き部の先端、つまり、石突きの役割を果す。よって、キャップ１４は、傘１１を杖のように用いた場合であっても、割れたりせず、水漏れや脱落しない強度を有する。
尚、キャップ１４は、使い捨て可能な素材としても良いが、支持筒４１の雄ネジ部４１ｂに対して何度も螺合できる（再利用可能な）素材とすることが望ましい。
更に、キャップ１４は、支持筒４１の雄ネジ部４１ｂに螺合している際には、最も径が細い筒体３１の小径内突縁３３に係止可能となって、これにより、縮短時における筒状カバー１２の支持筒４１の下端側からの脱落が防止される。
【００４２】
尚、本発明は、前述した実施形態に限定されるものではない。水滴防止カバー１が取り付けられた傘１１の各構成または全体の構造、形状、寸法などは、本発明の趣旨に沿って適宜変更することが出来る。
筒状カバー１２の各筒体３１ａ、３１ｂ、３１ｃ・・・における外周面や、支持筒４１の外周面に、タワーやロケット等をモチーフとした色彩、凹凸等による模様を施しても良い。
【００４３】
ここで、凹凸による模様は、筒状カバー１２の伸縮（及び支持筒４１に対する伸縮）に支障がない範囲の凹凸差で形成される。
また、支持筒４１において色彩による模様を施す際には、この模様が、最も径の小さい筒体３１の小径内突縁３３と擦れて、掠れたり消えないように、筒体３１の小径内突縁３３と支持筒４１の（外突縁４１ａや雄ネジ部４１ｂ以外における）外周面との間に、あえて隙間を形成しても良い。
この隙間は、支持筒４１における外径を、外突縁４１ａから雄ネジ部４１ｂまでに亘って、最も径の小さい筒体３１の小径内突縁３３の内径より小さくすることで形成しても良く、また、支持筒４１の一部の外径を小さくするなどしても良い。
【００４４】
支持筒４１内のフランジ４３は、４方向に延びるものだけでなく、傘１１の先端部の軸３に対して取り付け可能であれば、２方向や、３方向、５方向等に延びるものとしても良い。
吸水性の部材３２は、支持筒４１内の空洞１６に充填されても、キャップ１４を外すと支持筒４１の先端開口から露出する部分（端部）に紐状の部材を設けていても良く、この紐状の部材を摘むと、吸水性の部材３２を取り外し易くなる。
【００４５】
キャップ１４は、金属部材を内包したインサート成型による構成としても良く、金属を部分的又は全体に使用することで、石突きとしての強度が増すと共に、捩じり・締付けが強固に行える。
尚、キャップ１４に金属を使用するだけでなく、支持筒４１にもインサート成型等で、金属を部分的又は全体に使用しても良い。
【符号の説明】
【００４６】
１１：傘
１２：筒状体
１３：軸取付け具
１４：キャップ
１５：圧入用突出部
１６：空洞
１７：ねじ
２１：傘
２２：先端の土突き部
２３：水受け部
２４：伸縮自在の筒状体
３１：筒体
３２：吸水性の部材
【図１】
0005315437.tif 000002
【図２】
0005315437.tif 000003
【図３】
0005315437.tif 000004
【図４】
0005315437.tif 000005
【図５】
0005315437.tif 000006
【図６】
0005315437.tif 000007
【図７】
0005315437.tif 000008
【図８】
0005315437.tif 000009
【図９】
0005315437.tif 000010
【図１０】
0005315437.tif 000011
【図１１】
0005315437.tif 000012
【図１２】
0005315437.tif 000013